(57)【要約】      （修正有）【課題】冷却水の構造を簡素化して作成費用や手間の軽減化を図るとともに、溶接する電極の切り替えを容易化し、また、溶接位置の位置決めを正確にできる回転式の電極ホルダ機構を提供する。【解決手段】電極ホルダ本体３の小径部３ａに、駆動シリンダユニットの駆動によって回転可能な回転体を装着し、回転体の周囲に複数の電極ユニットを設け、所望の電極ユニットを溶接位置に容易に切り替えることができる回転式電極ホルダの機構であって、溶接位置の電極を冷却するため、電極ホルダ本体に１本の冷却水給水孔７ｘと１本の冷却水排水孔７ｙを形成し、溶接位置に位置しない電極には冷却水の供給が遮断されるようにする。【選択図】図２
0003230181.tif 000002
【実用新案登録請求の範囲】
【請求項１】
電気抵抗溶接機の電極ホルダ本体に回転可能に取り付けられる回転体に複数の装着部が所定間隔置きに設けられ、それぞれの装着部に装着される複数の電極ユニットのうち所望の電極ユニットを溶接位置に位置決めして溶接するような回転式電極ホルダの機構であって、前記電極ホルダ本体には、電極を冷却するための1本の冷却水供給路と１本の冷却水排水路が形成され、これら1本の冷却水供給路と冷却水排水路によって、溶接位置の電極の冷却を行うとともに、溶接位置に位置しない電極には冷却水の供給が遮断される機構を設けることを特徴とする回転式電極ホルダ機構。
【考案の詳細な説明】
【技術分野】
【０００１】
本考案は、電気抵抗溶接機において、複数の電極を１台の溶接機で切り替えて使用することのできる回転式の電極ホルダ機構に関する。
【背景技術】
【０００２】
従来、複数の電極を１台の溶接機で切り替えて使用することのできる回転可能な電極ホルダとして、円周の外周に電極を取り付けるための複数の装着凹部を設け、それぞれの装着凹部に電極を取り付けて溶接するような技術が知られており、（例えば、特許文献１参照。）この技術では、スポット溶接機に取り付けられる基部材と、この基部材に取り付けられ且つその外周部に一定角度をおいて電極を装着するための装着凹部が形成される回転部材と、基部材と回転部材を固定する固定部材を設け、使用する電極を交換するときは、例えば手作業等によって固定部材を取り外して回転部材の位相を替えて所望の電極を溶接位置に位置させ、再び固定部材を締め直して溶接するようにしている。
【先行技術文献】
【特許文献】
【０００３】
【特許文献１】実用新案登録第３１２９６７８号公報。
【考案の概要】
【考案が解決しようとする課題】
【０００４】
ところで、上記技術の場合、電極を冷却するための冷却水通路を設けており、この冷却水通路として、それぞれすべての電極について、基部材と回転部材の両方に冷却水供給路と冷却水排水路を設けているため、電極の冷却構造が複雑になり、基部材や回転部材の製作に手間とコストがかかるという問題があった。
【０００５】
そこで本考案は、回転式の電極ホルダにおいて、冷却水の構造を簡素化して作成費用や手間の軽減化を図ることを目的とする。
【課題を解決するための手段】
【０００６】
上記目的を達成するため本考案は、電気抵抗溶接機の電極ホルダ本体に回転可能に取り付けられる回転体に複数の装着部が所定間隔置きに設けられ、それぞれの装着部に装着される複数の電極ユニットのうち所望の電極ユニットを溶接位置に位置決めして溶接するような回転式電極ホルダの機構において、前記電極ホルダ本体には、電極を冷却するための1本の冷却水供給路と１本の冷却水排水路を形成し、これら1本の冷却水供給路と冷却水排水路によって、溶接位置の電極の冷却を行うとともに、溶接位置に位置しない電極には冷却水の供給が遮断される機構を設けた。
【０００７】
このように、1本の冷却水供給路と冷却水排水路によって、溶接位置の電極の冷却を行うようにし、溶接位置に位置しない電極には冷却水の供給が遮断される機構を設けることにより、冷却機構の簡素化が図られ、製作の手間とコストの削減化が図れる。
【０００８】
なお、前記電極ホルダ本体と回転体の材質を、クロム銅または真鍮またはベリリウム銅またはリン青銅のいずれか１種又はこれらの組み合わせにすれば、溶接時の電極に対する給電効果が高まって好適である。
【考案の効果】
【０００９】
電極ホルダ本体に電極を冷却するための1本の冷却水供給路と１本の冷却水排水路を形成し、これら1本の冷却水供給路と冷却水排水路によって、溶接位置の電極の冷却を行うことにより、電極ホルダの作製に手間やコストがかからず、しかも溶接位置に位置しない電極に冷却水の供給を遮断する機構を設けることにより、水漏れ等の不具合が発生しない。
【図面の簡単な説明】
【００１０】
【図１】本考案に係る回転式電極ホルダ機構の一例を示す全体斜視図である。
【図２】電極ホルダ本体の冷却水供給路と排水路の説明図であり、（ａ）は斜視図、（ｂ）は正面図である。
【図３】回転体の冷却構造の説明図であり、（ａ）は背面側から見た背面図であり、（ｂ）は（ａ）の左方から見た側面図である。
【図４】電極ユニットの冷却水構造の説明図であり、（ａ）は回転体に装着する前の状態を示す説明図であり、（ｂ）は回転体に装着した状態の説明図である。
【図５】回転式ホルダ機構の他の構成例を示す説明図である、
【考案を実施するための形態】
【００１１】
本考案の実施の形態について説明する。
本考案の回転式電極ホルダ機構は、電極を冷却するための冷却水の構造を簡素化して作成費用や手間の軽減化を図ることができるようにされている。
【００１２】
電気抵抗溶接機は、一対の電極によって被溶接部材を挟み込み、加圧しながら通電することで被溶接部材を溶接するものであり、被溶接部材の材料や、溶接個所や被溶接部材の形状等によって各種の電極が使用されており、１台の溶接機で複数の電極を取り換えながら溶接作業が行えるようになると、被溶接部材を移動させたりするような手間が省けるため、作業効率が極めて向上する。
【００１３】
そこで、本考案に係る電極ホルダ機構１は、１台の溶接機の上下一対の電極のうち、どちらの側にでも適用できるように構成されており、本実施例では下部電極側として構成されるとともに、回転体４の周囲に装着される複数（本実施例では２本）の電極ユニット５のうち、所望の電極ユニット５を駆動シリンダユニット１６の作動によって溶接位置に移動させ、下部電極側の複数の電極の切り替えが簡単にできるようにされている。
【００１４】
また、その際、溶接位置の電極ユニット５の電極５ａを冷却するための冷却水構造が設けられ、この冷却水構造には、溶接位置以外の電極に対しては冷却水の供給が遮断される構造も設けられている。
【００１５】
それでは、本電極ホルダ機構１の構造の細部について説明する。
本電極ホルダ機構１は、図１に示すように、不図示の溶接機側に固定される電極ホルダ本体３と、この電極ホルダ本体３の中径部３ｂ（図２（ａ））に嵌合する固定板２と、電極ホルダ本体３の小径部３ａに回転可能に嵌合する回転体４と、この回転体４を回転駆動するための駆動部としての駆動シリンダユニット１６と、全体が溶接機側に固定される回転ガイド前面部材１８を備えており、駆動シリンダユニット１６の作動によって回転体４が、約９０度回転するようにされている。また、本実施例では、回転体４の外周部に二つの電極ユニット５が装着されており、所望の電極ユニット５を溶接位置に移動させることができるようにされている。
【００１６】
電極ホルダ本体３は、図２に示すように、先端側に小径部３ａと中径部３ｂを備えており、前述のように、中径部３ｂに前記固定板２が取り付けられるとともに、電極ホルダ本体３の先端側の内部には冷却水を流通させるための通路が形成されている。
【００１７】
すなわち、先端側の大径部には直径方向に貫通する水平の貫通孔が設けられ、この貫通孔の中央部が遮蔽部材ｓによって仕切られることにより、一方側の貫通孔は冷却水を供給する給水孔７ｘとして、他方側の貫通孔は冷却済みの水を排水する排水孔７ｙとされており、給水孔７ｘや排水孔７ｙの開口部には、それぞれ接続部材１１（図１）が接続されている。因みに、本実施例では、電極ホルダ本体３の側方から給排水を行うようにしているが、電極ホルダ３の軸方向と平行に給排水を行うことができるよう、電極ホルダ３の背面側から二本の給水孔７ｘ1、排水孔７ｙ1を設けてそれぞれ給水孔７ｘ、排水孔７ｙに連通させており、通常時はメクラ蓋Ｍをしており、軸方向と平行方向から給排水を行う際は、現在メクラ蓋Ｍをしている箇所に接続部材１１を接続して、給水孔７ｘや排水孔７ｙの側方の開口部にはメクラ蓋Ｍを使用する。
また、小径部３ａの先端面側から軸方向に沿って二本の穿孔８ｘ、８ｙが設けられて深部側が遮蔽部材ｓを挟んで、一方側の穿孔８ｘが給水孔７ｘに、他方側の穿孔８ｙが排水孔７ｙにそれぞれ連通しており、それぞれの穿孔８ｘ、８ｙの入り口側が遮蔽部材ｐによって遮蔽されている。
更に、小径部３ａの上部側から下方に向けて二本の縦孔９ｘ、９ｙが設けられ、一方側の縦孔９ｘが一方側の穿孔８ｘに、他方側の縦孔９ｙが他方側の穿孔８ｙに連通している。
【００１８】
すなわち、給水側の給水孔７ｘから給水された冷却水は、穿孔８ｘや縦孔９ｘを通して、以下に述べる回転体４の給水路を通して、溶接位置の電極ユニット５の冷却路に供給され、冷却の終えた冷却水は、電極ユニット５の排水路を通して、縦孔９ｙや穿孔８ｙや排水孔７ｙを通して外部に排水される。
【００１９】
前記回転体４は、図３に示すように、中央部に、電極ホルダ本体３の小径部３ａに密着状に嵌合するための嵌合孔４ａを備えており、また、その円周上には、電極ユニット５を装着するための二カ所の装着穴４ｓが中心軸方向に向けて直角に形成されるとともに、この装着穴４ｓの中間部には雌ネジ部ｍが形成され、更に装着穴４ｓの下面側には、装着穴４ｓの底面の中心部から嵌合孔４ａに向けて垂直に貫通する雌ネジ孔ｘと、この雌ネジ孔ｘの周囲の装着穴４ｓ底面から嵌合孔４ａに向けて斜め方向に貫通する傾斜孔ｙを備えている。
【００２０】
電極ユニット５の冷却構造について説明する。
電極ユニット５は、図４（ａ）に示すように、電極５ａと、電極５ａを保持する保持筒５ｂと、電極ユニット５の内部の筒内に冷却水を供給するための小径のパイプ部材５ｐを備えており、パイプ部材５ｐの下端部周囲には、雄ネジ部材１２が設けられるとともに、この雄ネジ部材１２は、前記回転体４の雌ネジ孔ｘに螺合可能にされている。
また、保持筒５ｂの下端部には、雄ネジ部ｎが形成され、この保持筒５ｂの雄ネジ部ｎは、前記回転体４の装着穴４ｓの雌ネジ部ｍに螺合可能にされている。更に保持筒５ｂの雄ネジ部ｎの下方には装着穴４ｓに嵌合可能な嵌合部が設けられるとともに、この嵌合部には、水漏れを防止するためのＯリングｒが装着されている。
【００２１】
そして、これら電極ユニット５を回転体４の装着穴４ｓに装着した状態は、図４（ｂ）の通りであり、パイプ部材５ｐの内部から供給される冷却水がパイプ部材５ｐの上端部から外部に流出し、電極５ａを冷却するとともに、冷却済みの冷却水は電極ユニット５の筒内とパイプ部材５ｐの外周との間を流れ落ちて装着穴４ｓの内部に流入し、傾斜孔ｙを通して排水孔７ｙに向けて流出する。
因みに、保持筒５ｂの雄ネジ部ｎを装着穴４ｓの雌ネジ部ｍに螺合させた際、保持筒５ｂの下端面と装着穴４ｓの底面との間には僅かな隙間が生じるようにされている。
また、冷却済みの冷却水は、Ｏリングｒによって保持筒５ｂと装着穴４ｓの隙間を通して外部に漏れだすことはない。
【００２２】
以上のように、本電極ホルダ機構は、電極ホルダ本体３に形成される１本の冷却水供給路と１本の冷却水排水路によって、溶接位置に位置する電極ユニット５への冷却が可能であるが、冷却位置以外の電極ユニット５に対しては、冷却水の供給が行われないため冷却されない。また、それまで溶接位置にいて冷却されていた電極ユニット５が溶接位置以外の場所に切り替えられると、電極ユニット５の内部に残留する冷却水は、電極ホルダ本体３の小径部３ａの外面に遮られて外部に漏洩することはない。
【００２３】
以上のような構成によって、冷却機構の簡素化が図られ、製作の手間とコストの削減化が図れる。
なお、ホルダ本体３（小径部３ａを含む）と回転体４の材質として、クロム銅または真鍮またはベリリウム銅またはリン青銅のいずれか１種又はこれらの組み合わせにすれば、溶接時の電極に対する給電効果を高めることができる。
【００２４】
ところで、以上の実施例では、駆動シリンダユニット１６の固定を、中間部のピン１６ｂ式で行っているが、図５に示すように、駆動シリンダユニット１６の下端部を固定板２１に固定するようにしても良い。この場合、回転ガイド前面部材１８は、直接電極ホルダ本体３前面等にボルトで固定している。
【００２５】
なお、本考案は以上のような実施形態に限定されるものではない。本考案の実用新案登録請求の範囲に記載した事項と実質的に同一の構成を有し、同一の作用効果を奏するものは本考案の技術的範囲に属する。例えば、本実施例では下部電極側として構成しているが、上部電極側でもよく、また、電極ユニット５を二個としているが、三個または四個でもそれ以上でもよい。また、本実施例では、給水と排水をホルダ本体３の側方から軸方向に対して直角方向に行っているが、その代わりに、ホルダ本体３の基端側から軸方向に沿って平行に行っても良い。
更に、駆動シリンダユニット１６のシリンダロッド前面側に安全カバーを設け、駆動シリンダユニット１６作動時の人的被害防止を図るようにしてもよい。
【産業上の利用可能性】
【００２６】
回転式の電極ホルダ機構として、電極を冷却するための冷却水の構造が簡素化されて作成費用や手間の軽減化が図られるため、溶接分野における今後の広い普及が期待される。
【符号の説明】
【００２７】
１…電極ホルダ機構、３…電極ホルダ本体、４…回転体、５…電極ユニット、５ａ…電極、７ｘ…給水孔、７ｙ…排水孔。
【図１】
0003230181.tif 000003
【図２】
0003230181.tif 000004
【図３】
0003230181.tif 000005
【図４】
0003230181.tif 000006
【図５】
0003230181.tif 000007